(57)【特許請求の範囲】
【請求項１】
把持部と、該把持部の端部に連設された塗布部とを備えた化粧料用塗布体であって、該把持部の中央部分は偏平に形成され、該偏平の幅広な面には凹平面が形成され、該偏平の幅狭な面には凹側面が形成され、少なくとも塗布部が設けられた側の該凹平面の短手辺からは、把持部の端部側に向かって上り傾斜に形成された第一斜部が設けられ、少なくとも塗布部が設けられた側の該凹側面の短手辺からは、把持部の端部側に向かって上り傾斜に形成された第二斜部が設けられ、該第一斜部と把持部の端部との間には把持部の厚み方向へ最も突出する突出部が形成され、該第一斜部は、凹平面の短手辺から把持部の端部側に向かって漸次高さを増すとともに漸次幅が狭くなるスロープ状に形成され、該第二斜部は、凹側面の短手辺から把持部の端部側に向かって漸次高さを増すとともに漸次幅が狭くなるスロープ状に形成され、その先端において、把持部の端部から一定の範囲で把持部の左右両側縁を構成する側縁部に連続するよう形成され、さらに、前記突出部を通り前記把持部の軸芯と直交する断面形状が、前記突出部と前記側縁部を角とする略菱形に形成されていることを特徴とする化粧料用塗布体。
【請求項２】
把持部と、該把持部の端部に連設された塗布部とを備えた化粧料用塗布体であって、該把持部の中央部分は偏平に形成され、該偏平の幅広な面には凹平面が形成され、該偏平の幅狭な面には凹側面が形成され、少なくとも塗布部が設けられた側の該凹平面の短手辺からは、把持部の端部側に向かって上り傾斜に形成された第一斜部が設けられ、少なくとも塗布部が設けられた側の該凹側面の短手辺からは、把持部の端部側に向かって上り傾斜に形成された第二斜部が設けられ、該第一斜部と把持部の端部との間には把持部の厚み方向へ最も突出する突出部が形成され、該第一斜部は、凹平面の短手辺から把持部の端部側に向かって漸次高さを増すとともに漸次幅が狭くなるスロープ状に形成され、該第二斜部は、凹側面の短手辺から把持部の端部側に向かって漸次高さを増すとともに漸次幅が狭くなるスロープ状に形成され、その先端において、把持部の端部から一定の範囲で把持部の左右両側縁を構成する側縁部に連続するよう形成され、さらに、前記突出部をピークとして、前記第一斜部の両上辺および前記凹平面の長手辺の一部から、左右の前記側縁部と前記第二斜部にかけて、三角屋根状に傾斜する屋根状斜面が形成されていることを特徴とする化粧料用塗布体。
【請求項３】
前記把持部は上下対称に形成されていることを特徴とする請求項１または２に記載の化粧料用塗布体。
【請求項４】
前記凹平面と前記第一斜部との境界および前記凹側面と前記第二斜部との境界は、いずれも入隅状の屈曲部においてそれぞれの領域が区画されていることを特徴とする請求項１ないし３のいずれかに記載の化粧料用塗布体。
【発明の詳細な説明】
【技術分野】
【０００１】
本発明は、化粧料容器内に化粧料とともに収納可能に形成された化粧料用塗布体に関する。
【背景技術】
【０００２】
従来、アイシャドウ、アイブロウ、アイライナー、チーク等の化粧料とともに化粧料容器に収納される化粧料用塗布体があり、かかる化粧料用塗布体は、一般的には特許文献１に開示されているもののように、棒状の把持部と、その端部に設けられた塗布部により構成されている。かかる棒状の把持部の断面形状は、特許文献１のもののように、偏平楕円形のものや、真円、その他の多角形に形成されたものが知られている。
【０００３】
また、特許文献２には、把持部の一端に塗布部を設け、把持部の中央部分を両端側よりも細くした括れ部を備えた化粧料用塗布体が開示されている。  
【０００４】
これらの化粧料用塗布体は、棒状に形成されている把持部を指先にて把持し、適量の化粧料を塗布部に取り、顔の被塗布部位に塗布するというものである。しかしながら、棒状の把持部は指先で把持した場合、化粧料を塗布部に取る際や化粧料を顔に塗布する際に、把持した指先が滑ってしまい、指先から塗布部に思ったように力が伝わらないなどの問題があった。
【０００５】
その点、特許文献２のものは、括れ部に指がフィットすることによる使用感の向上が期待できるものの、かかる括れ部は滑らかな円弧状の凹部として把持部の中央から両端にかけて連続的に形成されているため、塗布部に力が加わったときに把持する指が滑るおそれがあった。
【０００６】
とりわけ、化粧料用塗布体は、塗布具表面が滑らかに処理されている場合が多く、滑りやすい特徴を有しており、また、近年のシニア層（５０代以上）の増加に伴い、化粧料を使用する層も高年齢化の傾向が見られ、かかるシニア層は指先の保持力も低下しているため、使用時に指が滑りにくい化粧料用塗布体の必要性は高くなっている。
【０００７】
また、かかる化粧料用塗布体は、化粧料容器に化粧料とともに収納されているケースが多く、かかるケースからの取り出しにくさも課題となっている。
【０００８】
かかる課題を解決すべく、特許文献１の化粧料容器には、化粧料塗布体の把持部を載置するための台座を設け、かかる台座の載置面から把持部を滑らせて引き上げることにより容器から塗布体を取り出し易くしている。また、特許文献２のものは、把持部に括れ部を設けることで隣り合って収納された化粧料塗布体の隙間が広くなり、かかる隙間から指を差し入れて把持部を摘み易くし、さらに、把持部の断面形状の上下を凸曲線状とすることにより、把持部を回動させて摘み上げ易くしている。
【０００９】
しかしながら、特許文献１のものは、化粧料容器そのものに加工を施す必要があり、汎用性に欠けており、また、特許文献２のものは、括れ部により指が差し入れやすくはなるものの、断面形状が楕円形状の場合は把持部を回動させて側端部を持ち上げる操作を行った際、化粧料容器収納部の底面と把持部の曲面が線接触して回動後の姿勢が不安定となり、把持部を摘み上げにくい場合があった。
【先行技術文献】
【特許文献】
【００１０】
【特許文献１】特開２０１５−１１９９２９
【特許文献２】特開２０１５−２１７１６９
【発明の概要】
【発明が解決しようとする課題】
【００１１】
そこで本発明は、従来の化粧料用塗布体のかかる欠点を克服し、使用時に把持部を把持する指先が滑りにくく、また、化粧料容器からは容易に取り出し易い化粧料用塗布体の提供をその課題とするものである。
【課題を解決するための手段】
【００１２】
本発明は、上記課題を解決するものであり、把持部と、該把持部の端部に連設された塗布部とを備えた化粧料用塗布体であって、該把持部の中央部分は偏平に形成され、該偏平の幅広な面には凹平面が形成され、該偏平の幅狭な面には凹側面が形成され、少なくとも塗布体が設けられた側の該凹平面の短手辺からは、把持部の端部側に向かって上り傾斜に形成された第一斜部が設けられ、少なくとも塗布体が設けられた側の該凹側面の短手辺からは、把持部の端部側に向かって上り傾斜に形成された第二斜部が設けられ、該第一斜部と把持部の端部との間には把持部の厚み方向へ最も突出する突出部が形成されたことを特徴とする化粧料用塗布体である。
【００１３】
また、本発明は、前記突出部を通り前記把持部の軸芯と直交する断面形状が、前記突出部と把持部の側縁部を角とする略菱形に形成されていることを特徴とする化粧料用塗布体である。
【発明の効果】
【００１４】
本発明にかかる化粧料用塗布体は、把持部の凹平面を把持した指先が第一斜部に当接し、または、把持部の凹側面を把持した指先が第二斜部に当接することにより、指が塗布部側に滑るおそれがなく、確実に塗布部に力を伝えられ、安定して使用することができる。
【００１５】
また、本発明にかかる化粧料用塗布体で前記突出部を通り前記把持部の軸芯と直交する断面形状が略菱形に形成されたものは、把持部を回動させて摘み上げる際、把持部の一部が化粧料容器の収納部と面接触することにより回動後の把持部の姿勢が安定し、容易に収納部から摘み上げて取り出すことができる。
【図面の簡単な説明】
【００１６】
【図１】（ａ）本発明にかかる化粧料用塗布体の平面図、（ｂ）同側面図
【図２】本発明にかかる化粧料用塗布体の一部拡大斜視図
【図３】本発明にかかる化粧料用塗布体を化粧料容器の収納部に収納した状態を表す図
【図４】（ａ）本発明にかかる化粧料用塗布体を化粧料容器の収納部に収納した状態を表す断面図、（ｂ）本発明にかかる化粧料用塗布体を化粧料容器の収納部から取り出す動作を表す断面図
【発明を実施するための形態】
【００１７】
以下、本発明の化粧料用塗布体の実施態様を、図面に基づいて具体的に説明する。なお、本発明はこれら実施態様に何ら制約されるものではない。
【００１８】
図１に示すように、本発明に係る化粧料用塗布体は、把持部１と、該把持部１の両端部に連設された塗布部３からなる。塗布部３の把持部１への取付方法は公知の方法でよく、例えば、把持部１の端部１３より突設された軸部２を芯として該軸部２に被せるように塗布部３を設けることができる。なお、本実施態様では、把持部１の両方の端部１３に塗布部３が設けられているが、必ずしも両方に設ける必要はなく、端部１３の一方のみに設けてもよい。
【００１９】
本実施態様の把持部１は、少なくともその中央部分が偏平に形成されており、かかる偏平における幅広な面、すなわち、把持部１の表裏を構成する面には、凹平面１１が形成されている。そして、偏平における幅狭な面、すなわち、把持部１の左右側面を構成する面には、凹側面１２が形成されている。なお、凹平面１１は、把持部１の表裏両面に形成することが好ましいが、把持部１の表裏の一方にのみ形成してもよい。
【００２０】
凹平面１１および凹側面１２はそれぞれ略矩形状に形成されている。そして、少なくとも塗布部３が設けられた側の凹平面１１の短手辺からは、把持部１の端部１３側に向かって上り傾斜に形成された第一斜部１５が形成されている。また、少なくとも塗布部３が設けられた側の凹側面１２の短手辺からは、塗布部１の端部１３側に向かって上り傾斜に形成された第二斜部１６が形成されている。
【００２１】
第一斜部１５は、平面部１１の短手辺から端部１３側に向かって漸次高さを増すとともに、漸次幅が狭くなる略三角形のスロープ状に形成され、その先端側において、突出部１８が形成されている。該突出部１８は、把持部１において最も厚み方向に突出するよう形成され、把持部１の平面中心線上であって、第一斜部１５と端部１３の間に位置している。
【００２２】
第二斜部１６は、凹側面１２の短手辺から端部１３側に向かって漸次高さを増すとともに漸次幅が狭くなる略台形のスロープ状に形成され、その先端において、側縁部１４に連続するよう形成されている。該側縁部１４は、端部１３から凹側面１２にかけて一定の範囲で把持部１の左右両側縁を構成している。
【００２３】
第一斜部１５は、端部１３近傍の突出部１８とほぼ連続するように形成されているのに対し、第二斜部１６は、端部１３から一定の範囲で形成された側縁部１４を介して形成されているため、両斜部の位置関係は、第一斜部１５がより把持部１の端部１３側に、また、第二斜部１６がより把持部１の中央寄りになるように形成されている。
【００２４】
把持部１は、その中央部分が偏平に形成されている一方、その端部１３ないし端部１３近傍において、断面略菱形に形成することが好ましい。より詳しくは、突出部１８を通り把持部１の軸芯と直交する断面形状が、突出部１８と側縁部１４を角とする略菱形に形成されており、このように、断面形状を略菱形に形成することより、後述する化粧料容器からの取り出し時に姿勢が安定する。
【００２５】
図２は、本件発明の化粧料用塗布体の一部拡大斜視図である。図に示すように、突出部１８をピークとして、第一斜部１５の両上辺および凹平面１１の長手辺の一部から、左右の側縁部１４と第二斜部１６にかけて、三角屋根状に傾斜する屋根状斜面１７が設けられている。
【００２６】
凹平面１１および凹側面１２は、いずれも完全な平面に形成してもよいが、端部側よりも中央側がより凹んだ凹曲面に形成してもよい。また、凹平面１１は、その横幅を９．５〜１３．５ｍｍの範囲で、凹側面１２は、その横幅を３．２〜５．４ｍｍの範囲でそれぞれ形成することにより、より指先で把持しやすくなるため好ましい。さらに、第一斜部１５および第二斜部１６も、いずれも完全な平面に形成してもよいが、端部側よりも中央側がより凹んだ凹曲面に形成してもよい。なお、第１斜部１５および第２斜部１６の傾斜角度は、凹平面１１と凹側面１２をそれぞれ傾斜角度０度としたとき、凹平面１１に対する第１斜部１５の傾斜角度を１５〜２５度、凹側面１２に対する第２斜部１６の傾斜角度を１０〜３０度の範囲に形成することが好ましい。
【００２７】
凹平面１１と第一斜部１５との境界は、図２に示すように、入隅状の屈曲部１５１においてそれぞれの領域を明確に区画することが好ましい。また、凹側面１２と第二斜部１６の境界についても、同様に、入隅状の屈曲部１６１においてそれぞれの領域を明確に区画することが好ましい。このように、凹平面１１と第一斜部１５が屈曲部１５１により、また、凹側面１２と第二斜部１６が屈曲部１６１により互いに明確に区分けされることで、使用時に凹平面１１や凹側面１２を把持した指が第一斜部１５や第二斜部１６側へ滑ることを防ぐことができる。
【００２８】
かかる凹平面１１と第一斜部１５、凹側面１２と第二斜部１６のそれぞれの境界を屈曲部１５１、１６１により明確にするためには、凹平面１１および凹側面１２、第一斜部１５および第二斜部１６はいずれも平面に形成して、互いに非連続的になるように形成することが好ましい。
【００２９】
次に、本発明の化粧料用塗布体の使用方法について説明する。本発明の化粧料用塗布体は、把持部１を指で把持して使用する。例えば、表裏から凹平面１１を２本の指で把持することができるが、このとき、使用する塗布具３側の第一斜部１５近傍の凹平面１１を把持すると、凹平面１１を把持した指先が第一斜部１５に当接することになるため、塗布部３に力を加えても指が塗布部３側に滑るおそれがなく、確実に塗布部３に力を伝えられる。また、異なる把持方法として、凹側面１２を左右から２本の指で把持してもよい。このとき、使用する塗布具３側の第二斜部１６近傍の凹側面１２を把持すると、凹側面１２を把持した指先が第二斜部１６に当接することになるため、塗布部３に力を加えても指が塗布部３側に滑るおそれがなく、確実に塗布部３に力を伝えられる。
【００３０】
さらに、凹平面１１を２本の指で把持する場合は、補助的に凹側面１２を別の指で把持したり、添えたりしてもよく、また、同様に凹側面１２を２本の指で把持する場合は、補助的に凹平面１１を別の指で把持したり、添えたりしてもよい。
【００３１】
次に、化粧用容器に収納された本発明の化粧料用塗布体の容器からの取り出し方法について説明する。本発明の化粧料用塗布体は、図３に示すような化粧料容器４の収納部４１に収納されている。使用者は、収納部４１内に収納された化粧料用塗布体を指で摘み上げて取り出すが、本件発明の化粧料用塗布体は以下の方法により容易に取り出すことができる。
【００３２】
図４は、本発明の化粧料用塗布体を収納部４１から取り出す前と取り出し時の状態を断面図にて示したものである。図に示すように、化粧料用塗布体は収納部４１内において、突出部１８を真上と真下にしてほぼ水平に載置された状態で収納されている。かかる状態より把持部１を指で摘み上げるためには、まず、側縁部１４のいずれか一方を収納部４１の底部分へと押し下げる。これにより、把持部１は軸芯を中心に回動して反対側の側縁部１４が上方へと持ち上がる。そして、屋根状斜面１７が収納部４１の底部へと面接触するまで回動すると、保持部１の姿勢は安定する（図４ｂ）。なお、塗布部３は底部に押し付けられ、塗布部３の一部が圧縮されるため、屋根状斜面１７が収納部４１の底部に面接触する妨げとならない。また、塗布部３の芯となる軸部２が可撓性を有している場合は、把持部１との境界から塗布部３は上方へ撓むため、同じく屋根状斜面１７が収納部４１の底部に面接触する妨げとならない。
【００３３】
かかる回動姿勢において、持ち上げられた側の凹側面１２ないし側縁部１４に指を掛け、さらに把持部１を回動させながら引き起こし、凹側面１２ないし側縁部１４に掛けた指を裏側の凹平面１１に添えることにより、凹平面を表裏の両側から把持することができ、そのまま簡単に摘み上げることができる。
【００３４】
以上説明した実施態様では、把持部１の両端部に塗布部３が設けられており、把持部１の形状も上下で対称に形成されているが、把持部１の一端に塗布部３が設けられている場合は、前述した第一斜部１５、第二斜部１６、突出部１８、屋根状斜面１７等は、塗布部３が設けられる端部１３側にのみ形成してもよい。
【００３５】
本発明の化粧料用塗布体の把持部１および軸部２は、一般的な化粧料用塗布体に使用されるものであれば特にその素材は限定されないが、硬度の高いＴＰＥ（熱可塑性エラストマー）などの熱可塑性樹脂が好ましい。また、塗布部３としては、軸部２をスポンジで覆ったものに限定されず、把持部１に直接スポンジをつけたもの、毛束や軸に放射状に毛を固定しているものや樹脂製のブラシ、あるいは、エラストマーで形成されたヘラやそれにフロッキー処理したものであってもよい。
【００３６】
本発明にかかる化粧料用塗布体の化粧料の剤形としては、粉末固形状、油性固形状、ゲル状、ペースト状、液状、粉末状等の化粧料が挙げられるが、容器内に化粧料と塗布体をともに収納するには、粉末固形状、油性固形状が好ましい。また、アイシャドウ、アイブロウ、アイライナー、チーク、コンシーラー、口紅、マスカラ、ファンデーション等のメイクアップ化粧料やスキンケア化粧料、ヘアケア化粧料に応用できるが、特に、アイシャドウ、アイブロウ、アイライナー等のポイントメイクアップ化粧料にもちいることが好ましい。
【００３７】
また、少なくとも把持部１の表面仕上げに関しては、特に限定はされないが、シボ仕上げ等の凹凸処理を施すことにより、把持した指先の滑り止めとなるため、好ましい。
【符号の説明】
【００３８】
１  …  …  把持部
２  …  …  軸部
３  …  …  塗布部  
４  …  …  化粧料容器
１１  …  …  凹平面
１２  …  …  凹側面
１３  …  …  端部
１４  …  …  側縁部
１５  …  …  第一斜部
１６  …  …  第二斜部
１７  …  …  屋根状斜面
１８  …  …  突出部
４１  …  …  収納部
１５１  …  …  屈曲部
１６１  …  …  屈曲部
【図１】
0006775979.tif 000002
【図２】
0006775979.tif 000003
【図３】
0006775979.tif 000004
【図４】
0006775979.tif 000005